(57)【要約】【課題】ゴルフバッグの持ち運び時に、各ゴルフクラブが接触して接触音を発することもなく、また前記接触によりゴルフクラブに傷が付くこともないゴルフクラブの締め付けベルトを備えたゴルフバッグを提供する。【解決手段】ゴルフバッグ１の上端開口部４において、該ゴルフバッグ１の後端内周側中央の前面側に立設固定された背当板８の上方部において、間隔を有して貫通された２個の孔１３に、小巾の帯状、または紐状の締め付けベルト１４を挿通すると共に、該締め付けベルト１４の両側の自由端から締め付けストッパー１５を移動自在なるように挿通し、前記締め付けベルト１４により、前記ゴルフバッグ１に収納された全部のゴルフクラブ２の上方部側を締め付けて、締め付けストッパー１５により一体にまとめて固定する。【選択図】図２
2008035878.tif 000002
【特許請求の範囲】
【請求項１】
ゴルフバッグの上端開口部内に、複数の横仕切り部材と、前記上端開口部内の該ゴルフバッグの前端内周側中央から前記横仕切り部材をそれぞれ貫通して、前記ゴルフバッグの後端内周側中央までに亘って配する一つの縦仕切り部材とを備えると共に、前記ゴルフバッグの後端内周側中央の前面側に、前記上端開口部よりは上方へ突出した高さを有する背当て板を前記縦仕切り部材を貫通して立設固定して、前記上端開口部内に、前記横仕切り部材と縦仕切り部材並びに背当て板とで各ゴルフクラブを収納する複数の区画部を設ける一方、前記背当て板の上方部において、間隔を有して貫通された２個の孔に、小巾の帯状、または紐状の締め付けベルトを挿通すると共に、該締め付けベルトの両側の自由端から締め付けストッパーを移動自在なるように挿通し、更に、前記背当て板をゴルフバッグに取付ける両側の固定ねじに、ガイド部材を貫通して、前記ゴルフバッグの外周壁面に固定したことを特徴とするゴルフクラブの締め付けベルトを備えたゴルフバッグ。
【発明の詳細な説明】
【技術分野】
【０００１】
本発明は、複数本のゴルフクラブを一体に締め付けることにより、ゴルフバッグの持ち運び時に、前記各ゴルフクラブがそれぞれ動揺しないようにして、該各ゴルフクラブが互いに接触して接触音を発することもなく、また接触によるゴルフクラブの損傷を防止することができるゴルフクラブの締め付けベルトを備えたゴルフバッグに関するものである。
【背景技術】
【０００２】
従来、ゴルフバッグの持ち運び時に、各ゴルフクラブが互いに接触して接触音を発することもなく、また接触によるゴルフクラブの損傷を防止するため、筒状の複数本の保持体をゴルフバッグに収納し、且つ該各保持体内にゴルフクラブを１本ずつ装入して、各ゴルフクラブが互いに接触しないようにして接触によって接触音を発することを阻止すると共に、接触によるゴルフクラブの損傷を防止するよう配慮されていた。
【０００３】
また、ゴルフバッグの持ち運び時に、各ゴルフクラブが互いに接触して接触音を発することもなく、また接触によるゴルフクラブの損傷を防止するようにしたゴルフバッグにつき、過去の特許文献を遡及検索すると、下記の特許文献１に示すものが公知である。
【０００４】
【特許文献１】実開平７−１８７５４号公報
【発明の開示】
【発明が解決しようとする課題】
【０００５】
前記従来の円筒体を使用する場合、その数が限定されてしまい、必要とするゴルフクラブ全部をゴルフバッグに収納できない場合もあるという課題があり、また特許文献１に開示されたゴルフバッグでは、横仕切り部材と縦仕切り部材によって区画された前側左右区画、中間左右区画および後側区画に区分されるが、各区画には複数本のゴルフクラブが収納されることとなるので、各区画内の該各ゴルフクラブが互いに接触して接触音を発したり、また前記接触によりゴルフクラブが損傷することもあるという課題があった。
【０００６】
本発明は、前記課題を解決すべくなされたものであって、ゴルフバッグの上端開口部において、該ゴルフバッグに収納された全部のゴルフクラブの上方部側を締め付けベルトにより一体に締め付けることにより、各ゴルフクラブが互いに接触しないようにして、接触音を発することもなく、また接触によるゴルフクラブの損傷を防止することができるゴルフクラブの締め付けベルトを備えたゴルフバッグを提供しようとするものである。
【課題を解決するための手段】
【０００７】
本発明は、ゴルフバッグの上端開口部内に、複数の横仕切り部材と、前記上端開口部内の該ゴルフバッグの前端内周側中央から前記横仕切り部材をそれぞれ貫通して、前記ゴルフバッグの後端内周側中央までに亘って配する一つの縦仕切り部材とを備えると共に、前記ゴルフバッグの後端内周側中央の前面側に、前記上端開口部よりは上方へ突出した高さを有する背当て板を前記縦仕切り部材を貫通して立設固定して、前記上端開口部内に、前記横仕切り部材と縦仕切り部材並びに背当て板とで各ゴルフクラブを収納する複数の区画部を設ける一方、前記背当て板の上方部において、間隔を有して貫通された２個の孔に、小巾の帯状、または紐状の締め付けベルトを挿通すると共に、該締め付けベルトの両側の自由端から締め付けストッパーを移動自在なるように挿通し、更に、前記背当て板をゴルフバッグに取付ける両側の固定ねじに、ガイド部材を貫通して、前記ゴルフバッグの外周壁面に固定するという手段を採用することにより、上記課題を解決した。
【発明の効果】
【０００８】
本発明ゴルフバッグによれば、該ゴルフバッグに収納された全部のゴルフクラブの上方部側を締め付けベルトで一体に締め付けることにより、ゴルフバッグの移送中においても、各ゴルフクラブが動揺することなく、従って、接触による接触音を発することなく、更に、接触による各ゴルフクラブの損傷を防止することができる。
【実施例】
【０００９】
本発明は、ゴルフバッグの上端開口部において、該ゴルフバッグに収納された全部のゴルフクラブの上方部側を締め付けベルトにより一体に締め付けることにより、各ゴルフクラブが接触して接触音を発することもなく、また接触による該各ゴルフクラブの損傷を防止するようにしたものである。以下、本発明の実施例を図面に基づいて詳細に説明する。
【００１０】
図１は、本発明ゴルフクラブの締め付けベルトを備えたゴルフバッグにおいて、該ゴルフバッグにゴルフクラブを収納して、締め付けベルトにより該ゴルフクラブを締め付けた状態を正面側から見た斜視図、図２は、同背面側から見た斜視図、図３は、同縦断面図である。
【００１１】
ゴルフバッグ１の内周面には、収納されるゴルフクラブ２を損傷しないよう、クッション性の良い比較的肉厚なパッド並びにフェルトやベルベット等の保護布３が張付けられている。
【００１２】
また、ゴルフバッグ１は、多数本のゴルフクラブ２を挿脱可能に収納するゴルフバッグ１の上端開口部４内に、それぞれ左右に亘って配する前後一対の横仕切り部材５・６と、前記上端開口部４内の該ゴルフバッグ１の前端内周側中央から前記横仕切り部材５・６をそれぞれ貫通して、前記ゴルフバッグ１の後端内周側中央までに亘って配する一つの縦仕切り部材７とを備えると共に、前記ゴルフバッグ１の後端内周側中央の前面側に、前記上端開口部４よりは上方へ突出した高さを有する背当て板８を前記縦仕切り部材７を貫通して立設固定して、前記上端開口部４内に、前記横仕切り部材５・６と縦仕切り部材７並びに背当て板８とで各ゴルフクラブ２を収納する複数の区画部９を設けて形成されている。
【００１３】
前記背当て板８は、特に限定する必要はないが、好ましくは、硬質合成樹脂製の長方形状板１０の全面を、クッション性の良い比較的肉厚なフェルトやベルベット等の被覆布１１で被覆して形成することが推奨される。前記背当て板８は、その両側縁部を前記ゴルフバッグ１の外周壁面に貫通された固定ねじ１２によって固定されている。
【００１４】
そして、前記背当て板８の上方部において、間隔を有して貫通された２個の孔１３に、皮、布、紐、軟質合成樹脂布等により成る小巾の帯状、または紐状の締め付けベルト１４を挿通すると共に、該締め付けベルト１４の両側の自由端から締め付けストッパー１５を移動自在なるように挿通して形成されている。
【００１５】
前記締め付けストッパー１５は、特に限定する必要はないが、好ましくは、図４に示すように、前記締め付けベルト１４と同一素材により、該締め付けベルト１４を挿通する挿通部１６を備えた短尺状の２個の挿通帯１７をそれぞれ連結固定して形成することが推奨される。
【００１６】
なお、前記締め付けストッパー１５は、手で強く締め付け、または締め付けを解くようにしなければ、簡単には移動できないようにすべく、各挿通部１６は締め付けベルト１４の巾とほぼ同一大きさにして、該締め付けベルト１４に対して摩擦係数が大なるよう形成されている。
【００１７】
また、前記ゴルフバッグ１の上部外周壁面の対称位置には、前記締め付けを解かれた締め付けベルト１４を該ゴルフバッグ１の上端開口部４の外周壁面に沿って、前方側へ方向転換して巻回させるために、該締め付けベルト１４をガイドするガイド部材１８を備えている。
【００１８】
前記ガイド部材１８は、特に限定する必要はないが、好ましくは、図６に示すよう形成することが推奨される。すなわち、前記背当て板８をゴルフバッグ１に取付ける両側の固定ねじ１２に、後方側へ向って拡開した斜面１９を備えたガイド板２０を貫通して、前記ゴルフバッグ１の外周壁面に固定することにより、該ゴルフバッグ１の外周壁面と斜面１９とにより締め付けベルト１４を掛止して、該締め付けベルト１４の方向を転換するガイド凹部２１を設けて形成されている。
【００１９】
本発明の作用について説明する。複数本のゴルフクラブ２を適宜の区画部９内に分散収納した後、すべてのゴルフクラブ２を一体にまとめて締め付けるように、締め付けベルト１４を前記各ゴルフクラブ２の上方部に外側から巻回して、締め付けストッパー１５を前方側へ押圧移動させて、前記ゴルフクラブ２を一体にまとめて固定する。そして、その後は図示していないカバーをゴルフバッグ１に被着して、該ゴルフバッグ１を持ち運ぶようにする。
【００２０】
前記全部のゴルフクラブ２の上方部を締め付けベルト１４で一体に締め付けることにより、ゴルフバッグ１の移送中においても、各ゴルフクラブ２が動揺することがなく、従って、接触による接触音を発することもなく、また接触による各ゴルフクラブ２の損傷を防止することができる。
【００２１】
ゴルフプレーに当たっては、締め付けストッパー１５を手前に押圧移動させて、締め付けベルト１４を緩め、各ゴルフクラブ２を自由に取出すことができるようにすると共に、図２の想像線、および図５で示すように、前記締め付けベルト１５を、前記両側の掛止板２０の掛止凹部２１に掛止して、ゴルフバッグ１の上端開口部４の外周壁面に沿って前方側へ方向転換して巻回しておくと、各ゴルフクラブ２の取出し時における障害とならず、また、前記締め付けベルト１４の垂れ下がりを防止することができる。
【図面の簡単な説明】
【００２２】
【図１】本発明ゴルフクラブの締め付けベルトを備えたゴルフバッグにおいて、ゴルフバッグにゴルフクラブを収納して、締め付けベルトにより該ゴルフクラブを締め付けた状態を正面側から見た斜視図である。
【図２】同背面側から見た斜視図である。
【図３】同縦断面図である。
【図４】本発明ゴルフクラブの締め付けベルトを備えたゴルフバッグにおける締め付けストッパーの縦断面図である。
【図５】本発明ゴルフクラブの締め付けベルトを備えたゴルフバッグにおいて、締め付けベルトを緩めた状態を正面側から見た斜視図である。
【図６】本発明ゴルフクラブの締め付けベルトを備えたゴルフバッグにおけるガイド部材部分の横断面図である。
【符号の説明】
【００２３】
１  ゴルフバッグ
２  ゴルフクラブ
４  上端開口部
５・６  横仕切り部材
７  縦仕切り部材
８  背当て板
９  区画部
１２  固定ねじ
１３  孔
１４  締め付けベルト
１５  締め付けストッパー
１８  ガイド部材
【図１】
2008035878.tif 000003
【図２】
2008035878.tif 000004
【図３】
2008035878.tif 000005
【図４】
2008035878.tif 000006
【図５】
2008035878.tif 000007
【図６】
2008035878.tif 000008